(57)【特許請求の範囲】
【請求項１】
歌唱履歴簿と、演奏手段と、制御手段を備え、指定された楽曲ＩＤのカラオケデータに基づいて楽曲を演奏するカラオケ装置であって、
カラオケデータは、楽段ＩＤに対応付けされた複数の楽段に区分可能であり、
歌唱履歴簿は、利用者ＩＤと、楽曲ＩＤと、楽段別得点の最高点と、最高点を取得した楽段ＩＤを対応付けした歌唱記録を複数記録し、
演奏手段は、制御手段の制御に従い、指定された楽曲ＩＤのカラオケデータ中の指定された楽段ＩＤの楽段を部分演奏可能であり、
制御手段は、利用者ＩＤを指定したメドレー演奏指示に基づいて第１〜第３処理を可能とし、
第１処理は、指定された利用者ＩＤに該当する複数の歌唱記録を歌唱記録簿から抽出し、
第２処理は、第１処理で抽出した複数の歌唱記録から最高点の大きい順に規定曲数分の歌唱記録を抽出し、
第３処理は、第２処理で抽出した規定曲数分の歌唱記録の順列に基づいて、各歌唱記録の楽曲ＩＤ・楽段ＩＤに該当する楽曲のカラオケデータの該当する楽段を順番につなぎ合わせてメドレー演奏させる
カラオケ装置。
【請求項２】
採点手段と、アップロード手段と、ダウンロード手段を備え、
採点手段は、カラオケデータの演奏時に歌唱者の歌声を採点し、利用者ＩＤと、楽曲ＩＤと、楽段ＩＤごとの楽段別得点とを対応付けした採点記録を作成し、
アップロード手段は、採点手段が作成した採点記録をカラオケホスト装置に送信し、
ダウンロード手段は、カラオケホスト装置から歌唱記録を取得して歌唱履歴簿を更新する
請求項１に記載のカラオケ装置。
【請求項３】
複数のカラオケ装置と個別に通信するカラオケホスト装置であって、受信処理と、台本作成処理と、送信処理を行い、
受信処理は、各カラオケ装置から採点記録を取得して記憶手段に格納し、
採点記録は、利用者ＩＤと、楽曲ＩＤと、楽段ＩＤごとの楽段別得点とを対応付けした記録であり、
台本作成処理は、記憶手段に格納された採点記録の中から利用者ＩＤが同一の複数の採点記録を抽出し、抽出した各採点記録中の楽段別得点の最高点の大きい順に規定曲数分の採点記録を抽出し、それら規定曲数分の各楽曲について、楽曲ＩＤと、最高点を記録した楽段ＩＤとを対応付けした順列を記述するとともに、それに利用者ＩＤを対応付けしたメドレー台本を作成して記憶手段に格納し、
送信処理は、記憶手段に格納されたメドレー台本をカラオケ装置に送信する
カラオケホスト装置。
【請求項４】
請求項３に記載のカラオケホスト装置と、これと個別に通信可能な複数のカラオケ装置を備えた通信カラオケシステムであって、
カラオケ装置は、記憶手段と、演奏手段と、制御手段を備え、指定された楽曲ＩＤのカラオケデータに基づいて楽曲を演奏し、
カラオケデータは、楽段ＩＤに対応付けされた複数の楽段に区分可能であり、
演奏手段は、制御手段の制御に従い、指定された楽曲ＩＤのカラオケデータ中の指定された楽段ＩＤの楽段を部分演奏可能であり、
採点手段は、カラオケデータの演奏時に歌唱者の歌声を採点し、利用者ＩＤと、楽曲ＩＤと、楽段ＩＤごとの楽段別得点とを対応付けした採点記録を作成し、
制御手段は、採点手段が作成した採点記録をカラオケホスト装置に送信し、
制御手段は、カラオケホスト装置からメドレー台本を受信して記憶手段に格納し、
制御手段は、利用者ＩＤを指定したメドレー演奏指示に応じて、指定された利用者ＩＤに該当するメドレー台本を記憶手段から抽出し、抽出したメドレー台本の楽曲ＩＤ・楽段ＩＤの順列に基づいて該当する楽曲のカラオケデータの該当する楽段を順番につなぎ合わせてメドレー演奏させる
通信カラオケシステム。
【発明の詳細な説明】
【０００１】
【発明の属する技術分野】
本発明は通信カラオケシステムや独立型のカラオケ装置に関し、とくにメドレー楽曲の編集方法に特徴を有する通信カラオケシステムやカラオケ装置に関する。
【０００２】
【従来の技術】
カラオケ装置は、指定楽曲のカラオケデータを処理してカラオケ伴奏音楽と歌詞画像とを同期してスピーカとディスプレイに音響映像出力する。カラオケデータは、カラオケ伴奏音楽の起源となる音楽生成データと、その音楽生成データに付帯して、その楽曲の歌詞画像の起源となる歌詞描出データとをセットにしたものであり、多数曲分のカラオケデータがデータベースに蓄積されている。
【０００３】
カラオケ伴奏音楽には複数の楽曲の一部の演奏部分をつなぎ合わせたメドレー楽曲がある。各カラオケ楽曲は自然に旋律が完結する複数の演奏区間（楽段）に区分されており、楽段の中には「サビ」と呼ばれる部分がある。メドレー楽曲は主として「サビ」にあたる楽段のみをつなぎ合わせたものである。メドレー楽曲を演奏するためには、通常のカラオケ楽曲と同様にメドレー楽曲のカラオケデータを用意しておき、指定のメドレー楽曲に対応するカラオケデータを通常のカラオケ楽曲と同様にして処理する。
【０００４】
また、特開平６−２０２６７５号公報に開示されているカラオケ装置では、メドレー楽曲に使用する複数のカラオケ楽曲と、その演奏順番とを利用者が指定することができるようになっている。具体的には、カラオケ楽曲毎にメドレー楽曲として使用する楽段があらかじめ設定されており、カラオケデータは、その楽段に相当するデータ部分が識別できるように作成されている。そして、利用者が指定した複数のカラオケ楽曲について、所定の楽段の伴奏音楽を指定の順番に従って順次生成する。
【０００５】
【発明が解決しようとする課題】
メドレー楽曲を演奏するためにメドレー楽曲専用のカラオケデータを用意する場合、利用者の多様な嗜好に対応するために多数曲分のメドレー楽曲用カラオケデータを用意しなくてはならない。しかも、ある新曲カラオケ楽曲のリリースに対応して、その新曲を含んだメドレー楽曲を追加する場合、その新曲は異なるメドレー楽曲に使用される可能性が高い。すなわち、一曲の新曲に対して複数のメドレー楽曲用カラオケデータが必要となる。当然、このカラオケデータを格納するためのデータ記憶装置は大容量のものにならざるを得ない。したがって、カラオケ装置のコストを大きく増加させてしまう。もちろん、通信カラオケシステムであれば、データ量の増加は、直接通信費の増加につながる。
【０００６】
一方、１曲分のカラオケデータからメドレーとして演奏する楽段部分を取り出して繋げるタイプのカラオケ装置は、メドレー楽曲用のカラオケデータを用意する必要がないので、データ格納コストや通信コストを増加させることはない。しかし、各楽曲でメドレー楽曲に使用される楽段が歌唱者が得意としている楽段とは限らない。そのため、メドレー楽曲の演奏中に不得意であったりよく知らかったりする楽段が演奏されると、歌い出しにとまどったり旋律についていけなかったり、場合によっては大きく音程を外す場合もある。これでは、歌唱者が一番歌いたい楽曲をまとめて歌えるメドレー楽曲の演奏が無意味になる。
【０００７】
もちろん、利用者がメドレー楽曲を構成する複数のカラオケ楽曲に加えて楽段も選択できれば得意な楽段だけによるメドレー楽曲を演奏させることができる。しかし、楽曲に加えて楽段までも選択し、しかもその演奏順番までも指定していては操作が極めて複雑になる。操作の時間もかなり長くなる。利用者にとっては操作自体が面倒くさいし、同伴者などの他の人にとってはリクエスト曲を入力できないので迷惑である。時間貸しのカラオケ会場であれば、操作に掛かる時間分の料金がもったいない。
【０００８】
そこで本発明は、多数のメドレー楽曲をデータ量を増やすことなく用意できるとともに、利用者の得意とする楽段によるメドレー楽曲を時間を掛けることなく簡単に編集して演奏させることができるカラオケ装置および通信カラオケシステムを提供することを目的としている。
【０００９】
【課題を解決するための手段】
第１の発明に係るカラオケ装置は、つぎの事項（１）〜（８）により特定されるものである。
（１）歌唱履歴簿と、演奏手段と、制御手段を備え、指定された楽曲ＩＤのカラオケデータに基づいて楽曲を演奏するカラオケ装置であること
（２）カラオケデータは、楽段ＩＤに対応付けされた複数の楽段に区分可能であること
（３）歌唱履歴簿は、利用者ＩＤと、楽曲ＩＤと、楽段別得点の最高点と、最高点を取得した楽段ＩＤを対応付けした歌唱記録を複数記録すること
（４）演奏手段は、制御手段の制御に従い、指定された楽曲ＩＤのカラオケデータ中の指定された楽段ＩＤの楽段を部分演奏可能であること
（５）制御手段は、利用者ＩＤを指定したメドレー演奏指示に基づいて第１〜第３処理を可能とすること
（６）第１処理は、指定された利用者ＩＤに該当する複数の歌唱記録を歌唱記録簿から抽出すること
（７）第２処理は、第１処理で抽出した複数の歌唱記録から最高点の大きい順に規定曲数分の歌唱記録を抽出すること
（８）第３処理は、第２処理で抽出した規定曲数分の歌唱記録の順列に基づいて、各歌唱記録の楽曲ＩＤ・楽段ＩＤに該当する楽曲のカラオケデータの該当する楽段を順番につなぎ合わせてメドレー演奏させること
【００１０】
第１の発明においてし、さらに、つぎの構成（９）〜（12）を備えることが望ましい。
（９）採点手段と、アップロード手段と、ダウンロード手段を備えること
（10）採点手段は、カラオケデータの演奏時に歌唱者の歌声を採点し、利用者ＩＤと、楽曲ＩＤと、楽段ＩＤごとの楽段別得点とを対応付けした採点記録を作成すること
（11）アップロード手段は、採点手段が作成した採点記録をカラオケホスト装置に送信すること
（12）ダウンロード手段は、カラオケホスト装置から歌唱記録を取得して歌唱履歴簿を更新すること
【００１１】
第２の発明に係るカラオケホスト装置は、つぎの事項（21）〜（25）により特定されるものである。
（21）複数のカラオケ装置と個別に通信するカラオケホスト装置であって、受信処理と、台本作成処理と、送信処理を行うこと
（22）受信処理は、各カラオケ装置から採点記録を取得して記憶手段に格納すること
（23）採点記録は、利用者ＩＤと、楽曲ＩＤと、楽段ＩＤごとの楽段別得点とを対応付けした記録であること
（24）台本作成処理は、記憶手段に格納された採点記録の中から利用者ＩＤが同一の複数の採点記録を抽出し、抽出した各採点記録中の楽段別得点の最高点の大きい順に規定曲数分の採点記録を抽出し、それら規定曲数分の各楽曲について、楽曲ＩＤと、最高点を記録した楽段ＩＤとを対応付けした順列を記述するとともに、それに利用者ＩＤを対応付けしたメドレー台本を作成して記憶手段に格納すること
（25）送信処理は、記憶手段に格納されたメドレー台本をカラオケ装置に送信すること
【００１２】
第３の発明に係る通信カラオケシステムは、つぎの事項（31）〜（38）により特定されるものである。
（31）第２の発明に係るカラオケホスト装置と、これと個別に通信可能な複数のカラオケ装置を備えた通信カラオケシステムであること
（32）カラオケ装置は、記憶手段と、演奏手段と、制御手段を備え、指定された楽曲ＩＤのカラオケデータに基づいて楽曲を演奏すること
（33）カラオケデータは、楽段ＩＤに対応付けされた複数の楽段に区分可能であること
（34）演奏手段は、制御手段の制御に従い、指定された楽曲ＩＤのカラオケデータ中の指定された楽段ＩＤの楽段を部分演奏可能であること
（35）採点手段は、カラオケデータの演奏時に歌唱者の歌声を採点し、利用者ＩＤと、楽曲ＩＤと、楽段ＩＤごとの楽段別得点とを対応付けした採点記録を作成すること
（36）制御手段は、採点手段が作成した採点記録をカラオケホスト装置に送信すること
（37）制御手段は、カラオケホスト装置からメドレー台本を受信して記憶手段に格納すること
（38）制御手段は、利用者ＩＤを指定したメドレー演奏指示に応じて、指定された利用者ＩＤに該当するメドレー台本を記憶手段から抽出し、抽出したメドレー台本の楽曲ＩＤ・楽段ＩＤの順列に基づいて該当する楽曲のカラオケデータの該当する楽段を順番につなぎ合わせてメドレー演奏させること
【００１６】
【発明の実施の形態】
＝＝＝カラオケ装置の基本的な構成と動作＝＝＝
図１は、本発明の実施例におけるカラオケ装置の構成を通信カラオケシステムの演奏端末として示している。中央制御部１１は内部にＣＰＵ、ＲＡＭ、ＲＯＭを含むマイコンであり、データバス１００や制御バス１１０を介して周辺各構成部とデータ通信を行い、カラオケ装置１を統括／制御している。中央制御部１１は適宜な通信機会にモデム２５を制御して電話回線網４０を介してカラオケホスト装置（以下、ホスト装置）５０に接続してデータ通信を行う。ホスト装置５０は多数曲分のカラオケデータを含む種々のデータを蓄積してなるデータベースを備え、適宜な通信機会に適宜なデータを任意のカラオケ演奏端末に転送する。
【００１７】
カラオケ装置１のハードディスク装置１２には、ホスト装置５０より配信されたカラオケデータや各種データおよびカラオケ装置１にて生成された種々のデータが格納される。
【００１８】
カラオケデータはＭＩＤＩ形式によって記述されたカラオケ伴奏音楽の起源となる音楽生成データと、その楽曲演奏に同期して描出すべき歌詞文字やその文字の属性（表示位置、表示色、表示／消去タイミング）を記述した歌詞描出データとを含んでいる。中央制御部１１は、リモコン送信器１７や操作パネル１８からリクエスト楽曲のＩＤ入力を操作制御部１９を介して受け取ると、その入力順とＩＤとを対応づけてＲＡＭに格納し、楽曲の演奏予約登録を行う。そして、予約順番に従って該当する楽曲のカラオケデータを取り出す。カラオケデータ中のＭＩＤＩデータをシンセサイザ１３に転送すると、シンセサイザ１３は、このＭＩＤＩデータに従って内蔵音源を制御し、カラオケ伴奏音楽を生成する。シンセサイザ１３が出力するカラオケ伴奏音楽の音声信号は、ミキシングアンプ１４でマイクロホン１５からの歌唱音声信号と混合されてスピーカ１６に音響出力される。
【００１９】
一方、カラオケ伴奏音楽の生成処理に同期して歌詞描出データを処理し、歌詞画像に相当するビットマップ画像をビデオＲＡＭ２０に展開する。映像制御部２１は、このビットマップ画像をビデオＣＤチェンジャ２２から出力されるムード映像にスーパーインポーズする処理を行ってディスプレイ２３に映像出力する。
【００２０】
また、歌唱採点部２４は中央制御部の制御の下、マイクロホン１５から入力される歌唱信号をサンプリングして歌唱音程や発音タイミングなどの歌唱状況をデータ化し、この歌唱データとＭＩＤＩデータ中の主旋律データとを逐次比較して、その一致度に従って所定の点数を付与していく。カラオケ楽曲における歌唱パートを通してその点数を集計し、最終的に１００点を満点とした総合得点を計算する。総合得点は中央制御部１１に転送され、その得点数値がディスプレイ２３に表示される。
【００２１】
以上がカラオケ装置１における基本的な構成と動作であった。さらに、カラオケ装置１は、会員として登録された利用者がメドレー楽曲の演奏指示をこの利用者のＩＤとともにカラオケ装置１に入力すると、この利用者の得意とする楽曲のしかも得意とする楽段が所定曲数分つなぎ合わされてメドレー楽曲が演奏される。以下、この高度なメドレー楽曲演奏機能について説明する。
【００２２】
＝＝＝メドレー楽曲演奏機能の概略＝＝＝
本発明におけるメドレー楽曲演奏機能の利用者はあらかじめカラオケ装置１に対してＩＤを登録する手続きをする必要がある。例えば、カラオケ店舗に備え付けられた登録申請書などに利用者の氏名や住所などの個人情報を記入して利用者ＩＤの付与を受ける。ＩＤの付与は単にＩＤ番号を利用者に伝えるだけでもよいが、本実施例では、利用者が個別に所有する携帯型リモコン送信器（パーソナルリモコン）１７を利用者に提供することでＩＤを付与している。このパーソナルリモコン１７には自身の識別ＩＤが記憶されており、これを利用者ＩＤとしている。また、パーソナルリモコン１７を使用してリクエスト入力をすると、楽曲ＩＤとともに利用者ＩＤを含んだリモコン信号が送信されるようになっている。
【００２３】
ＩＤ登録された歌唱者（会員）がどの楽曲のどの楽段を得意としているのかは、各カラオケ楽曲をあらかじめ複数の楽段に区分しておき、歌唱採点部が各楽段毎に得点を集計して楽段別得点を計算することでわかる。そして、どの会員がどの楽曲を歌ったとき、どの楽段で何点の最高得点を出したかを記録しておいて、メドレー楽曲を演奏するさい、その記録を参照して得点の高い順に楽曲とその楽段を選択すればよい。カラオケ装置１は、中央制御部１１が会員の過去の歌唱状況（歌唱楽曲や楽段別得点など）を記録した歌唱履歴簿に基づいてどの楽曲のどの段落をどの順番で演奏するかを記述したメドレー台本を作成し、その台本に従って演奏処理することで、上述の高度なメドレー楽曲演奏を実現している。
【００２４】
さらにカラオケ装置１は、会員が過去に歌唱した楽曲のジャンルや歌唱した時期などの条件を特定事項として入力すると、その特定事項に対応する楽曲を抽出して、その楽曲の対応している楽段を高得点順に選択してメドレー楽曲を編集することもできるようになっている。
【００２５】
＝＝＝各楽曲に対応づけられているデータ＝＝＝
各カラオケ楽曲における楽段の区分け状態はテーブルとしてハードディスク装置１２に記憶されている。図２に示すように、このテーブルには楽曲ＩＤと楽段ＩＤと各楽段の開始と終了を演奏開始からの経過時間によって対応づけている。また、各楽曲には先述した条件入力時の特定事項として図３に示すジャンルや元歌の歌手名、この楽曲の発表年、主題などの楽曲属性が付帯している。これらの各楽曲属性における種々の特定事項（具体的なジャンル名や歌手名、主題名など）はコード番号によって識別されている。なお、主題は「初恋」「卒業」「酒場」や春夏秋冬を示す「時節」など、楽曲の歌詞や雰囲気に合わせて設定されている。各カラオケ楽曲に対応づけられている楽段や楽曲属性を記述したデータは、新曲の発表などによって随時更新する必要がある。そのため、ホスト装置５０はデータが更新されると、最新のデータをカラオケ装置１に配信する。中央制御部１１はハードディスク装置１２内にあるデータとホスト装置５０から配信されるデータとを比較して最新のデータに更新する。
【００２６】
なお、楽段や楽曲属性は、テーブルを用意しなくてもカラオケデータのヘッダ部分などに記述しておいてもよい。また、ＭＩＤＩデータ中に楽段の開始と終了の符号とその楽段の識別符号とを挿入しておくことも可能である。
【００２７】
＝＝＝楽段別得点と歌唱履歴簿＝＝＝
会員毎に得意な楽曲とその楽段を特定するために利用者ＩＤ毎に楽曲ＩＤと楽段と得点とを対応づけて記述した歌唱履歴簿が用意されている。図４にこの歌唱履歴簿の概略的なデータ構成を示した。歌唱履歴簿はカラオケ装置１側で随時作成されるとともに、ホスト装置５０側でネットワークに接続されている多数のカラオケ演奏端末から集信することで逐次内容が更新される。このように、ホスト装置５０による集／配信とカラオケ装置１における随時作成とによってハードディスク装置１２には常に最新の歌唱履歴簿が格納されることになる。
【００２８】
カラオケ装置１において、歌唱履歴簿はつぎの流れによって作成される。中央制御部１１がパーソナルリモコン１７によってある楽曲の演奏指示が入力されたことを操作制御部から受け取ると、この楽曲の演奏処理にさいし歌唱採点部２４が楽段の終了毎に集計する楽段別得点を取得していく。演奏終了後にこの楽曲のＩＤと最高得点を記録した段落とその得点とをセットにして該当の利用者ＩＤに対応づけて歌唱履歴簿に記録する（もちろん、楽段別得点を全て記入してもよい。）。このとき、演奏日と演奏端末ＩＤとを歌唱状況属性として付帯させる。
【００２９】
＝＝＝メドレー楽曲の演奏指示（ユーザインタフェース）＝＝＝
本実施例において、会員がカラオケ装置１に対してメドレー楽曲を演奏指示する場合、通常のカラオケ楽曲を演奏指示するときとほぼ同様の操作を行えばよい。すなわち、メドレー楽曲用の楽曲番号をパーソナルリモコン１７から入力すれば、メドレー楽曲が演奏予約され、その予約順に従って演奏が開始される。メドレー楽曲は、楽段の選択の仕方に応じて▲１▼通常メドレー楽曲、▲２▼楽曲属性別メドレー楽曲、▲３▼歌唱状況属性別メドレー楽曲の３種類があり、その種類に応じてそれぞれ楽曲番号が用意されている。また、▲２▼と▲３▼のメドレー楽曲を演奏指示するさい、属性毎にさらに詳細な特定事項（例えば「ジャンル」で「ロック」を選択、「時節」で「冬」を選択など）を選択する必要がある。楽曲番号に階層的なコード番号を適宜に付帯させることで特定の属性を備えた楽段のみでメドレー楽曲が編集されるようになっている。本実施例では、▲１▼〜▲３▼のメドレー楽曲に対応する楽曲番号と、▲２▼▲３▼については選択する属性（ジャンル別、歌手別、端末ＩＤ別など）に応じて楽曲番号が対応づけられ、さらに選択した属性における階層的な事項（ロック、卒業、端末番号など）を特定するために１桁〜４桁程度のコード番号が対応づけられている。
【００３０】
メドレー楽曲の楽曲番号や各種条件に対応するコード番号がどのメドレー楽曲のどの属性のどの特定事項に対応するかはカラオケ店舗に備え付けられている目次本に記載されている。
つぎに、各種メドレー楽曲の内容とそれに対応するメドレー台本について説明する。
【００３１】
＝＝＝メドレー台本の作成＝＝＝
＜通常メドレー楽曲＞
パーソナルリモコンから通常メドレー楽曲に該当する楽曲番号を入力して演奏指示を行うと、通常メドレー楽曲の演奏指示とともに利用者ＩＤが操作制御部を介して中央制御部１１に転送される。中央制御部１１は歌唱履歴簿を参照してこの利用者ＩＤに対応づけられている楽曲とその楽段を対応する得点に従って高い順に並べる。そして、上位から所定の楽曲数分（本実施例では５曲）の楽曲ＩＤと対応する楽段を取得する。さらに、取得した楽段をランダムに入れ替えて演奏順番を決定する。この順番に従って対応する楽曲ＩＤと段落とを記述したものが図５に示したメドレー台本である。
【００３２】
＜楽曲属性別メドレー楽曲＞
通常メドレー楽曲は高得点順に楽段が選択されるため、ジャンルの異なる楽曲や歌手が異なる楽曲、あるいは新旧の楽曲などが混在したメドレー楽曲が演奏される。そのため、メドレー楽曲が統一性のない楽曲で構成される場合がある。楽曲属性別メドレー楽曲はこれらの不統一性を解消しつつ、できるだけ得意な楽段で構成されたものである。
【００３３】
パーソナルリモコン１７から楽曲属性別メドレー楽曲に該当する楽曲番号と属性に対応するコード番号とを入力して演奏指示を行うと、その属性に該当するメドレー楽曲の演奏指示とともに利用者ＩＤが操作制御部１９を介して中央制御部１１に転送される。ある属性におけるある特定事項（例えば、ジャンル：ロックなど）に対応する楽曲番号とコード番号を入力すると、中央制御部１１は歌唱履歴簿と楽曲属性データとを照合して、歌唱履歴簿中で指定した特定事項に一致する楽曲を抽出する。さらに、その楽曲に対応する楽段を高得点順に並べ、上位から所定曲数を選択して演奏順番を適宜に設定してメドレー台本を作成する。
【００３４】
なお、本実施例において楽曲属性の発表年は、１９６０年代、１９８０年代など西暦１９００年代を１０年単位として選択が可能である。
【００３５】
＜歌唱状況属性別メドレー楽曲＞
上記２種のメドレー楽曲に対し、歌唱状況別メドレー楽曲は、例えば、「あの時節に歌った曲」とか、「このカラオケ装置（地域）で歌った曲」とか、利用時節や利用場所、言い換えれば歌唱者の主観的な思い出を反映できる。
【００３６】
パーソナルリモコン１７から歌唱状況属性別メドレー楽曲に該当する楽曲番号と属性に対応するコード番号とを入力して演奏指示を行うと、その属性に該当するメドレー楽曲の演奏指示とともに利用者ＩＤが操作制御部１９を介して中央制御部１１に転送される。本実施例では歌唱した季節（春夏秋冬）と歌唱した端末ＩＤと演奏地域のいずれかを条件として選択できる。なお、演奏地域は演奏端末ＩＤと所定の地域（市町村や都道府県など）とを対応づけることで、ある地域を指定すると、その地域に属する演奏端末ＩＤが特定できる。この端末ＩＤと地域を対応付けしたデータも適時にホスト装置５０から配信されてハードディスク装置１２内に格納される。中央制御部１１は、歌唱履歴簿を参照して、季節であれば演奏日に基づいて、端末ＩＤや演奏地域であれば端末番号に基づいて、該当の楽曲を抽出して高得点順に楽段を選択する。そして、演奏順番を設定してメドレー台本を作成する。
【００３７】
＝＝＝メドレー楽曲の演奏処理＝＝＝
中央制御部１１は、メドレー楽曲を演奏するさい、上記メドレー台本に従って所定の楽曲の所定の楽段部分のＭＩＤＩデータを所定の順番でハードディスク装置１２より読み出してシンセサイザ１３に順次転送していく。この処理に同期して歌詞描出データを処理し、ビデオＲＡＭ２０に歌詞画像をビットマップ展開する。また、ハードディスク装置１２には、楽段の切り替え時に挿入される曲間楽曲のＭＩＤＩデータが用意されており、テンポや音程をつぎの楽段に合わせるように適宜な曲間楽曲データをシンセサイザ１３に適時に転送する。なお、曲間楽曲もメドレー台本中に記述して、この台本に従って曲間楽曲データを読み出してもよい。このようにして、メドレー楽曲の伴奏音楽と歌詞画像を適宜に切り替えながら音響出力する。
【００３８】
＝＝＝その他＝＝＝
上記実施例では楽曲番号とコード番号によってメドレー楽曲の演奏指示入力をしているが、特定事項も含めて個別に楽曲番号を用意してもよい。もちろん、ディスプレイ画面上に設定すべき特定事項のリストとリモコン送信器等から操作可能なカーソル等とを表示させ、カーソルによって適宜な項目を選択することで特定事項を入力するようなユーザインタフェース環境にすることは容易である。利用者ＩＤの入力もパーソナルリモコンによらず、通常のリモコン送信器や操作パネルから直接ＩＤ番号をテンキー入力してもよい。
【００３９】
また、メドレー楽曲の編集にさいし、属性とその特定事項の指定を一義的にせず、例えば、ジャンル、歌手、年代、主題をそれぞれ個別に設定したり、利用時節や利用端末も合わせて指定したりするなど、複合的に特定事項を設定してメドレーに使用する楽曲を絞り込めるようにしてもよい。
【００４０】
メドレー台本はホスト装置が作成することとしてもよい。この場合、集信した歌唱履歴簿に基づいて利用者別、特定事項別のメドレー台本をあらかじめ作成しておいて、カラオケ装置がホスト装置にその台本の送付を要求することとしてもよい。送付のタイミングは適宜なデータ通信時でもよいしメドレー楽曲の演奏指示の入力時でもよい。もちろん、カラオケ装置がメドレー台本の送付要求を出したときにホスト装置が入力条件に従ったメドレー台本を作成することとしてもよい。これらシステム構成や処理手続きの順番などは、データ処理に掛かる負荷や、利用者または店舗側の利便性（例えば、より新規な歌唱履歴に基づいたメドレー楽曲を歌いたいとか、データ通信に掛かる回数や時間を少なくしたいとか、など）を考えて容易に変更可能である。
【００４１】
上記カラオケ装置は通信カラオケシステムにおける演奏端末でなくてもよい。歌唱履歴簿は個別に作成して記録しておけばよく、新規な楽曲属性データなど各楽曲に対応づけられているデータは作業員が保守点検するさいに補充すればよい。
【００４２】
特定事項を入力したさい、対応する歌唱履歴がメドレー楽曲を構成するための楽曲数に満たなかったり全くなかったりする場合もある。そのような場合、その旨をディスプレイに表示するなどして条件の再設定を促すか、足りない分を他の楽曲で補ってもよい。
【００４３】
【発明の効果】
本発明のカラオケ装置によれば、各カラオケ楽曲をあらかじめ複数の楽段に区分するとともに、歌唱採点手段が楽段毎に得点を算出することで、どの会員がどの楽曲を歌ったとき、どの楽段で何点の最高得点を出したかを歌唱履歴簿として記録している。そして、メドレー楽曲を演奏するさい、この履歴簿に基づいて得点の高い楽曲とその楽段とをメドレー楽曲として採用している。そのため、歌唱者が得意とする楽曲の得意とする楽段によるメドレー楽曲を演奏することができる。したがって、メドレー楽曲の演奏中に不得意であったりよく知らなかったりする楽段が演奏されて歌い出しにとまどったり旋律についていけなかったりする可能性がなくなる。
【００４４】
さらに、メドレー楽曲は自動的に生成される歌唱履歴簿に基づいて自動的に編集されるため、操作に長い時間が掛かったり誤操作を招いたりすることがない。
【００４５】
各カラオケ楽曲にジャンルや歌手などの楽曲属性を付帯させたり、歌唱履歴簿に歌唱日時や演奏端末ＩＤなどを付帯させるとともに、ユーザインタフェースがこれらの属性における特定事項の入力を受け付けることで、ジャンルや歌唱時節など、入力条件に従いながら、得意な楽段によるメドレー楽曲を演奏することができる。そのため、メドレー楽曲を編成する各楽曲に統一性をもたせることができる。したがって、１曲のメドレー楽曲中に異質の楽曲が混在することで発生する違和感が解消できる。
【００４６】
また、カラオケホスト装置とカラオケ演奏端末から構成される通信カラオケシステムとすれば、カラオケホスト装置側がより多くのカラオケ演奏端末から歌唱履歴簿を集計して各カラオケ演奏端末に配信することができる。そのため、使用するカラオケ演奏端末に依存することなく上述のメドレー楽曲演奏機能を利用することができる。
【００４７】
また、メドレー台本の作成処理は、カラオケホスト装置側で行う構成でも、カラオケ演奏端末側で行う構成でもよく、データ処理に掛かる負荷やユーザインタフェース環境の快適性を考慮して適宜にシステム構成を変更できる。
【図面の簡単な説明】
【図１】本発明の実施例におけるカラオケ装置の構成を中心とした通信カラオケシステムの概略図である。
【図２】上記実施例における各カラオケ楽曲の楽段区分け状態テーブルの概略図である。
【図３】上記実施例における楽曲属性データの概略図である。
【図４】上記実施例における歌唱履歴簿のデータ構成を概略図として示している。
【図５】上記実施例におけるメドレー台本のデータ構成を概略図として示している。
【符号の説明】
１  カラオケ装置
１１  中央制御部
１２  ハードディスク装置
１３  シンセサイザ
２４  歌唱採点部
５０  カラオケホスト装置
【図１】
0004073561.tif 000002
【図２】
0004073561.tif 000003
【図３】
0004073561.tif 000004
【図４】
0004073561.tif 000005
【図５】
0004073561.tif 000006